(57)【特許請求の範囲】
【請求項１】
鏡と、
前記鏡の近傍に配置された金属パネルと、
前記金属パネルの背面に直接接していて、該金属パネルを背面側から補強する補強桟と、
前記金属パネルの前面側に取り付けられる収納トレイと、
を備え、
前記収納トレイは、前記金属パネルを介して前記補強桟に取り付けられていることを特徴とするミラーキャビネット。
【請求項２】
当該ミラーキャビネットは、
前記金属パネルの前面側に突出したトレイフックをさらに備え、
前記トレイフックは、前記金属パネルに設けた貫通孔を挿通して前記補強桟に締結されており、
前記収納トレイは、前記トレイフックに着脱可能に構成され、
前記収納トレイは、前記トレイフックに重力を利用して掛止されることにより前記補強桟に取り付けられていることを特徴とする請求項１に記載のミラーキャビネット。
【請求項３】
前記鏡は一面鏡であって、前記鏡と前記金属パネルが並設されていることを特徴とする請求項１または２に記載のミラーキャビネット。
【請求項４】
前記金属パネルは、ステンレス鋼にて形成されていることを特徴とする請求項１から請求項３のいずれか１項に記載のミラーキャビネット。
【発明の詳細な説明】
【技術分野】
【０００１】
本発明は、洗面カウンターと共に設置されるミラーキャビネットに関するものである。
【背景技術】
【０００２】
従来から、浴室に隣接して設けられる脱衣所などには、洗面化粧台が設置されている。洗面化粧台は、大別すれば洗面カウンターとミラーキャビネットとから構成される。洗面カウンターは、基本要素として湯水を供給する水栓と、排水口を備えた洗面ボールとを備えている。設置される際、水栓には給水管が接続され、排水口には排水管が接続される。
【０００３】
また洗面カウンターの下部には、引き出しや開き戸などの収納部が設けられる場合が多い。洗面カウンターの正面には、事実上の必需品として鏡が配置されている。鏡は建物の屋内の壁面に直接取り付けられている場合もあるが、照明や収納を備えた基体に取り付けられている場合が多い。本件出願では、鏡と基体とを含んだユニットをミラーキャビネットと称し、ミラーキャビネットと洗面カウンターとを含んだユニットを洗面化粧台と称することとする。
【０００４】
ミラーキャビネットの基体は、根本的には鏡の支持体である。しかし基体に設けられた鏡の周囲には、蛍光灯などの照明器具、これを操作するためのスイッチ、ドライヤーなどに電力供給するためのコンセントなどを設けている。また石けんや歯ブラシ、化粧品などを載置するための棚や収納部も設けられる。これらのことから、基体はある程度複雑な凹凸形状をなしている。従来の基体は主として合成樹脂材料からなり、真空成型にて製造されている場合が多い（例えば特許文献１）。
【先行技術文献】
【特許文献】
【０００５】
【特許文献１】特開平０５−１６１５５７号公報
【発明の概要】
【発明が解決しようとする課題】
【０００６】
合成樹脂材料を用いた基体は、軽量であること、及び比較的安価であるという利点はある。しかし樹脂材料は、経年劣化により変色が生じやすい。特に化粧品や整髪料などの化学薬品が浸食して部分的な変色を生じる場合があり、耐薬品性にも問題がある。また汚れが付着した場合に、樹脂材料は表面に微細な凹凸があるため拭き取りにくく、場合によっては変色してしまうおそれもある。さらに真空成型をするために肉薄になりがちであり、強度を向上させることが難しい。
【０００７】
そこで基体を金属にて形成することにより、強度や清掃性ならびに美観を向上させる技術が考えられる。ただし、金属を用いて基体を構成した場合、棚も一体形成することは困難である。また、棚を別部品の収納トレイなどとして加工してから取り付けると、基体の取付部分の周辺の金属に、取付時の負荷または収納物による荷重により歪みが生じやすい。特に金属の基体を用いた場合には、収納トレイなどを取り付けると取付部分に部分的な歪みを生じ、光の反射によって歪みが目立ってしまうという問題がある。しかし、取付部分を補強する別の部材を追加すると、製造工程の増加やキャビネットの重量の増加を招いてしまう。
【０００８】
本発明は、このような課題に鑑み、簡易な構成で収納トレイの取付強度を向上させ、あわせて美観の向上を図ることが可能なミラーキャビネットを提供することを目的としている。
【課題を解決するための手段】
【０００９】
上記課題を解決するために、本発明にかかるミラーキャビネットの代表的な特徴は、鏡と、鏡の近傍に配置された金属パネルと、金属パネルの背面に直接接していて、金属パネルを背面側から補強する補強桟と、金属パネルの前面側に取り付けられる収納トレイと、を備え、収納トレイは、金属パネルを介して補強桟に取り付けられていることを特徴とする。
【００１０】
上記構成によれば、収納トレイは補強桟に取り付けられているため、収納物の重量により収納トレイの取付部分にかかる負荷を補強桟へ分散させることができる。また、収納トレイが金属パネルに取り付けられている場合と比べて、金属パネルへ負荷をかけないため、金属パネルの歪みや破損を生じさせることがない。ここで、収納トレイのためのネジ等を打つ際に裏当ての部材を設けることはよく行われることであるが、金属パネルを補強するための補強桟と裏当て部材を共用したことにより、部品点数を削減し、材料費の低減および組立工程の簡略化を図ることができる。すなわち、簡易な構成で収納トレイの取付強度の向上、およびミラーキャビネットの美観の維持が可能となる。
【００１１】
当該ミラーキャビネットは、金属パネルの前面側に突出したトレイフックをさらに備え、トレイフックは、金属パネルに設けた貫通孔を挿通して補強桟に締結されており、収納トレイは、トレイフックに着脱可能に構成され、収納トレイは、トレイフックに重力を利用して掛止されることにより補強桟に取り付けられているとよい。
【００１２】
上記構成によれば、収納トレイのミラーキャビネットへの着脱を自由に行うことが可能となる。したがって、洗顔用品や整髪料等によって汚れても容易に清掃や交換を行うことができる。また収納トレイは簡易な構造であるため、取り付けに要する部品数を削減することができる。これらにより、メンテナンス性および施工性を向上させることが可能である。
【００１３】
鏡は一面鏡であって、鏡と金属パネルが並設されているとよい。この構成によれば、金属パネルの剛性感から来る高級感を与えることができる。また、金属パネルに備えられた収納トレイが鏡の近傍に位置するため、鏡を利用しながらでも収納トレイから洗顔用品等を手に取りやすい。したがって、美観および機能性を向上させることが可能となる。
【００１４】
金属パネルは、ステンレス鋼にて形成されているとよい。この構成によれば、耐薬品性、耐候性を向上させることができる。また素材感に基づく剛性感および硬質感においても、他の金属素材よりも程度の高い高級感を使用者に与えることができる。
【発明の効果】
【００１５】
本発明によれば、簡易な構成で収納トレイの取付強度を向上させ、あわせてミラーキャビネットの美観を向上させることができる。
【図面の簡単な説明】
【００１６】
【図１】本実施形態にかかるミラーキャビネットの分解斜視図である。
【図２】金属パネルの外観斜視図である。
【図３】補強桟を説明するための図である。
【図４】収納トレイの構成を説明する図である。
【図５】トレイフックの構成を説明する図である。
【図６】収納トレイおよびトレイフックの金属パネルへの取付状態の横断面図である。
【発明を実施するための形態】
【００１７】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１８】
本発明にかかるミラーキャビネットの実施形態について説明する。本実施形態においてミラーキャビネットおよび洗面化粧台は１面鏡の構成である。図１は本実施形態にかかる洗面化粧台の分解斜視図、図２は金属パネルの外観斜視図、図３は補強桟を説明するための図、図４は収納トレイの構成を説明する図、図５はトレイフックの構成を説明する図、
図６は収納トレイおよびトレイフックの金属パネルへの取付状態の横断面図である。
【００１９】
図１に示すように、洗面化粧台１００は、洗面カウンター１１０と、ミラーキャビネット１２０とから構成されている。洗面カウンター１１０は、湯水を供給する水栓１１２と、排水口１１４を備えた洗面ボール１１８とを備えている。また洗面ボール１１８の下方には収納棚１１６が設けられている。
【００２０】
ミラーキャビネット１２０は、枠部材１３０と、鏡１４０と、金属パネル１５０と、補強桟１６０（図３参照）と、収納トレイ１７０と、トレイフック１８０と、本実施形態における照明器具の例としての照明ベース１９０と、通し棚２００と、を備えている。
【００２１】
枠部材１３０は、ミラーキャビネット１２０の骨組みであって、ミラーキャビネット１２０の各構成部品を支持する。本実施形態では、枠部材１３０は剛性を有する合成樹脂製の中実角材で構成されており、ネジ止め等に対しても支持力を発揮することができる。また、枠部材１３０の四隅には、補強のための固定具１３２が備えられており、相応の重量を有する金属パネル１５０を取り付けたとしても、枠部材１３０はたわむことなく骨組みとして機能することができる。
【００２２】
照明ベース１９０は、鏡１４０および金属パネル１５０の上縁の全幅に亘って係合し、照明器具を支持する構成となっている。照明ベース１９０は照明器具として、中央に電灯１９２を設置可能な照明部１９４を有する。照明部１９４には照明カバー１９６が取り付けられ、照明部１９４にホコリ等が侵入するのを防いでいる。
【００２３】
通し棚２００は、鏡１４０および金属パネル１５０の下縁の前面側に立設されたリブ２０２を有している。また通し棚２００は、前方に突出する棚部２０４を有する。鏡１４０および金属パネル１５０の直下に棚部２０４を有することにより、ミラーキャビネット１２０の使い勝手が向上する。
【００２４】
なお、通し棚２００の材質には、金属および合成樹脂を用いることができる。例えば、アルミニウムを用いることで、金属パネル１５０との一体感がうまれ美観を向上させることが可能となる。
【００２５】
鏡１４０は、金属パネル１５０と共に枠部材１３０に取り付けられる。また鏡１４０は、自体の背面側に曇止めヒータ（不図示）を備えることで、ミラーキャビネット１２０としての機能を向上させることが可能である。なお鏡１４０は、自体の中心をその下方の洗面ボール１１８の中心と重なるように配置するとよい。このように設置することで、洗面時に洗面ボール１１８から顔を上げれば正面に鏡１４０が位置することになり、ミラーキャビネット１２０の使い勝手が向上する。
【００２６】
金属パネル１５０は、鏡１４０と共にミラーキャビネット１２０の主要な外表面を構成し、後述する収納トレイ１７０を取り付けることができる。金属パネル１５０は、材質としてはステンレス鋼を用いている。これにより特に、耐薬品性、耐候性を向上させることができる。またステンレス鋼は組織が緻密であることから研磨することにより優れた美観を発揮することができる。さらに社会通念上、使用者はステンレス鋼に対して剛性感および硬質感、耐久性などに優れていると感じることが期待できるため、他の金属素材よりも程度の高い高級感を使用者に与えることができる。また、金属パネル１５０の表面処理として、防錆のための塗装またはめっき処理などを行ってもよい。
【００２７】
図２に示すように、金属パネル１５０はトレイフック１８０を取り付けるための貫通孔１５２を設けている。貫通孔１５２は収納トレイ１７０の取付位置に略水平に複数配置され、貫通孔１５２には後述するネジ１８４が挿通される。また、貫通孔１５２の下には回転留め穴１５４が設けられており、トレイフック１８０の凸部１８２ｃと嵌合することができる。またさらに、金属パネル１５０には曇止めヒータ（不図示）用および照明器具のスイッチ用、ならびにコンセント用の設置孔１５６が複数設けられている。なお図２（ａ）では、３つの貫通孔１５２を横に配列させて記載しているが、個数および配列はこれに限るものではない。
【００２８】
また、金属パネル１５０はミラーキャビネット１２０の側面を形成する湾曲部１５８と、鏡１４０と接続されるＬ字部１６２とを有している。図３（ｂ）に示すように、湾曲部１５８は、枠部材１３０の側面を覆うように背面側まで回り込む形状をなしている。したがって金属パネル１５０を枠部材１３０に取り付ける際に、枠部材１３０に対して外側から組み合わせることが可能である。Ｌ字部１６２は、鏡１４０を金属パネル１５０に並設するように枠部材１３０に取り付ける際に、鏡１４０と枠部材１３０の間に位置するように鏡１４０と組み合わせることが可能である。このように、湾曲部１５８とＬ字部１６２によって、金属パネル１５０の縦方向の反りの発生を防止することができる。
【００２９】
図３（ａ）は、枠部材１３０に取り付けた金属パネル１５０を背面から図示している。図３（ａ）に示すように、補強桟１６０は、金属パネル１５０を背面側から補強する。補強桟１６０によって、金属パネル１５０は横方向の反りの発生を防止することができる。補強桟１６０は、トレイフック１８０を取り付けるために、金属パネル１５０の貫通孔１５２の位置に配置する。
【００３０】
なお、本実施形態では、補強桟１６０の材質としては枠部材１３０と同様に合成樹脂製の中実角材を使用している。しかし、これに限定するものではなく、強度およびネジ等に対する締結力を有すものであればよく、例えば木材等を用いることも可能である。また、本実施形態では、補強桟１６０は金属パネル１５０のＬ字部１６２の形状に対応させるために、長短２種類の長さの桟を組み合わせて一本の補強桟１６０としているが、一本の桟にＬ字部１６２の形状に対応する溝を設けて補強桟１６０として使用してもよい。
【００３１】
図４（ａ）は収納トレイ１７０の正面斜視図である。収納トレイ１７０は、天面が開放された箱状であって、金属パネル１５０の前面側に取り付けられ、洗面用品等の収納物を収納することができる。収納トレイ１７０が鏡１４０の近傍に位置することで、鏡１４０を利用しながらでも収納物を手に取り易く、機能的である。
【００３２】
収納トレイ１７０は、基部１７２とサイドキャップ１７４で構成され、基部１７２の左右両側にサイドキャップ１７４が被せられた構造を有している。基部１７２は押出成形によって形成され、材質には金属および合成樹脂を用いることができる。例えば、材質としてアルミニウムを用いることで、ステンレス鋼製の金属パネル１５０の剛性感と調和してさらにミラーキャビネット１２０の高級感を向上させることができる。サイドキャップ１７４は基部１７２を切断した端面を被覆する部材であって、例えば樹脂で形成することができる。このように押出成形材からなる基部１７２を切断してサイドキャップ１７４によって端部を覆うことにより、共通の部材（基部１７２の断面形状をした長尺の押出成形材）から任意の長さの収納トレイ１７０を形成することができる。
【００３３】
図４（ｂ）は収納トレイ１７０の背面斜視図、図４（ｃ）は図４（ｂ）のＢ−Ｂ断面図である。図４（ｂ）および図４（ｃ）に示すように、基部１７２の背面側にはトレイフック１８０と嵌合して掛止する掛止部１７６が設けられている。掛止部１７６は本実施形態では逆Ｕ字型の溝であって、後述するトレイフック１８０の逆Ｕ字部１８３と嵌合しつつ摺動することによって、収納トレイ１７０を金属パネル１５０に着脱可能に掛止することができる。図４（ｂ）では、３つの掛止部１７６が設けられているが、これに限定するものではなく、トレイフック１８０の数に応じて変更してよい。
【００３４】
図５はトレイフック１８０の構成を説明する図である。トレイフック１８０は、金属パネル１５０の前面側に突出して設置され、収納トレイ１７０を掛止することができる。図５に示すように、トレイフック１８０はビット部１８２と、ネジ１８４と、フックキャップ１８６とを含んで構成されている。
【００３５】
ビット部１８２は前面側に幅広部１８２ａが形成され、幅広部１８２ａの背面側に逆Ｕ字部１８３を突出させている。そして逆Ｕ字部１８３に収納トレイ１７０の掛止部１７６が嵌合することにより、掛止部１７６は脱落することなく固定される。逆Ｕ字部１８３には、ネジ穴１８２ｄと、ネジ穴１８２ｄと同軸の突起であるボス１８２ｅとを備えている。
【００３６】
また、図５（ｂ）に示すように、ビット部１８２は自体の背面側のネジ穴１８２ｄの下に凸部１８２ｃを有している。凸部１８２ｃは、金属パネル１５０への取付時に金属パネル１５０の回転留め穴１５４と嵌合することによって、トレイフック１８０を金属パネル１５０に回転不能に取り付けることができる。
【００３７】
フックキャップ１８６は、ネジ１８４を金属パネル１５０の貫通孔１５２から補強桟１６０へ締結させた後、ビット部１８２の前方側に被せるように取り付ける。フックキャップ１８６の角部は面取りされて曲線化しているため、トレイフック１８０は、収納トレイ１７０に円滑に嵌合することができる。
【００３８】
ネジ１８４はビット部１８２のネジ穴１８２ｄに前方側から挿通され、当該ネジ１８４によって金属パネル１５０の貫通孔１５２を挿通して背面の補強桟１６０に締結されている。本実施形態では、ネジ１８４を木ネジとして図示しているが、トレイフック１８０を締結できる締結部材であればよく、ボルト等を用いて代用することも可能である。
【００３９】
図６に示すように、トレイフック１８０の背面に設けたボス１８２ｅを貫通孔１５２に挿入し、凸部１８２ｃを回転留め穴１５４に挿入することにより、上下位置を固定された状態で冠着される。この状態でネジ穴１８２ｄを介してネジ１８４を補強桟１６０に揉み込むことにより、トレイフック１８０が固定される。ここで貫通孔１５２および回転留め穴１５４は金属パネル１５０にあらかじめ穿孔されており、ネジ１８４を打つ際にネジ１８４によって開口するものではない。したがって金属パネル１５０の表面にゆがみが生じることがなく、美観を維持することができる。収納トレイ１７０は、トレイフック１８０に重力を利用して掛止されることにより補強桟１６０に取り付けられる。
【００４０】
したがって、収納物の重量により収納トレイ１７０の取付部分にかかる負荷は補強桟１６０へ分散される。このような簡易な構造で収納トレイ１７０の取付強度を向上させることが可能となる。特に、金属パネルを補強するための補強桟と裏当て部材を共用したことにより、部品点数を削減し、材料費の低減および組立工程の簡略化を図ることができる。
【００４１】
またさらに、収納トレイ１７０が金属パネル１５０に取り付けられている場合と比べて、この構成であれば金属パネル１５０へ負荷をかけない。そのため、金属パネル１５０の歪みや破損を生じさせることがなく、ミラーキャビネット１２０の美観の維持が可能である。
【００４２】
また、収納トレイ１７０は掛止部１７６によって着脱可能に取り付けられているため、収納トレイ１７０は、洗顔用品や整髪料等によって汚れても容易に清掃や交換を行うことができる。またさらに、収納トレイ１７０は掛止部１７６を利用した簡易な構造で取り付けが可能であるため、取り付けに要する部品数を削減することができる。これらにより、ミラーキャビネット１２０のメンテナンス性および施工性を向上させることが可能である。
【００４３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４４】
本発明は、洗面カウンターと共に設置されるミラーキャビネットに利用することができる。
【符号の説明】
【００４５】
１００…洗面化粧台、１１０…洗面カウンター、１１２…水栓、１１４…排水口、１１６…収納棚、１１８…洗面ボール、１２０…ミラーキャビネット、１３０…枠部材、１３２…固定具、１４０…鏡、１５０…金属パネル、１５２…貫通孔、１５４…凹部、１５６…設置孔、１５８…湾曲部、１６０…補強桟、１６２…L字部、１７０…収納トレイ、１７２…基部、１７４…サイドキャップ、１７６…掛止部、１８０…トレイフック、１８２…ビット部、１８２ａ…幅広部、１８２ｂ…溝部、１８２ｃ…凸部、１８２ｄ…ネジ穴、１８２ｅ…ボス、１８３…逆Ｕ字部、１８４…ネジ、１８６…フックキャップ、１９０…照明ベース、１９２…電灯、１９４…照明部、１９６…照明カバー、２００…通し棚、２０２…リブ、２０４…棚部
【図１】
0005561961.tif 000002
【図２】
0005561961.tif 000003
【図３】
0005561961.tif 000004
【図４】
0005561961.tif 000005
【図５】
0005561961.tif 000006
【図６】
0005561961.tif 000007